(57)【要約】【課題】本発明の目的は、ハミガキ粉や化粧品等の内容物を容易に吐出し、最後まで該内容物を使い切ることができるチューブ容器を提供することである。  【解決手段】本発明に係るチューブ容器の口頸体は、チューブ本体の開口縁外周に嵌合させて内容物を吐出するチューブ容器の口頸体であって、チューブ本体の開口縁外周に嵌合する嵌合壁と、チューブ本体から流入する内容物を受けて貯留する内底面を備える内容物貯留部と、内容物を吐出する吐出口と、を備え、内容物貯留部の内底面の中央に溝部を設け、該溝部は、内容物の吐出方向に対して幅を漸次縮小したものであり、溝部の溝底には、吐出口の先端に向けて溝部の長さ方向に切れ目を入れ、溝底が切れ目よりも長さと幅の広くなるようにして、溝部と切れ目とが内容物貯留部から吐出部に至る流路となることを特徴とする。なお、上述した溝部は、内容物の吐出方向に対して幅を漸次縮小したＶ字溝としてもよい。【選択図】図３
2019006499.tif 000002
【特許請求の範囲】
【請求項１】
チューブ本体の開口縁外周に嵌合させて内容物を吐出するチューブ容器の口頸体であって、
前記チューブ本体の前記開口縁外周に嵌合する嵌合壁と、
前記チューブ本体から流入する前記内容物を受けて貯留する内底面を備える内容物貯留部と、
前記内容物を吐出する吐出口と、を備え、
前記内容物貯留部の前記内底面の中央に溝部を設け、該溝部は、前記内容物の吐出方向に対して幅を漸次縮小したものであり、
前記溝部の溝底には、前記吐出口の先端に向けて前記溝部の長さ方向に切れ目を入れ、前記溝底が前記切れ目よりも長さと幅の広くなるようにして、前記溝部と前記切れ目とが前記内容物貯留部から前記吐出部に至る流路となることを特徴とするチューブ容器の口頸体。
【請求項２】
チューブ本体の開口縁外周に嵌合させて内容物を吐出するチューブ容器の口頸体であって、
前記チューブ本体の前記開口縁外周に嵌合する嵌合壁と、
前記チューブ本体から流入する内容物を受けて貯留する内底面を備える内容物貯留部と、
前記内容物を吐出する吐出口と、を備え、
前記内容物貯留部の前記内底面の中央に溝部を設け、該溝部は、前記内容物の吐出方向に対して幅を漸次縮小したＶ字溝であり、
前記溝部の溝底には、前記吐出口の先端に向けて前記溝部の長さ方向に切れ目を入れ、前記溝底が前記切れ目よりも長さと幅の広くなるようにして、前記溝部と前記切れ目とが前記内容物貯留部から前記吐出部に至る流路となることを特徴とするチューブ容器の口頸体。
【請求項３】
前記溝部は対向する傾斜面により形成し、前記対向する傾斜面を密接すると、前記切れ目は前記内容物の吐出方向に対して幅を漸次拡大した逆Ｖ字に開くことを特徴とする請求項１又は２に記載のチューブ容器の口頸体。
【請求項４】
前記流路は前記溝部から前記吐出口方向に湾曲して形成されていることを特徴とする請求項１ないし３のいずれかに記載のチューブ容器の口頸体。
【請求項５】
一体的に成型されたことを特徴とする請求項１ないし４のいずれかに記載のチューブ容器の口頸体。
【請求項６】
二片の閉塞部材からなる請求項１ないし４のいずれかに記載のチューブ容器の口頸体。
【請求項７】
請求項１ないし６のうちいずれかに記載のチューブ容器の口頸体を備えるチューブ容器。
【請求項８】
請求項１ないし６のうちいずれかに記載の口頸体と、前記チューブ本体とからなるチューブ容器であって、
前記チューブ本体の開口縁が前記切れ目の開設方向と交差する方向に押圧力され前記チューブ本体の下部を潰し前記開口縁が扁平になることにより、前記内容物が吐出されるように構成されたことを特徴とするチューブ容器。
【請求項９】
前記チューブ本体は他端が扁平に閉塞され、閉塞された両端から前記開口縁方向に縁を扁平に潰したシール部を備え、さらに前記口頸体にも前記チューブ本体の前記シール部のシール方向に縁を扁平に潰したシール部を備えることを特徴とする請求項８に記載のチューブ容器。
【請求項１０】
前記口頸体を支持して請求項７ないし９のいずれかに記載の前記チューブ容器を自立させる台座。
【発明の詳細な説明】
【技術分野】
【０００１】
本発明は、ハミガキ粉や化粧品等の内容物を容易に吐出し、最後まで該内容物を使い切ることができるチューブ容器及びその口頸体に関する。
【背景技術】
【０００２】
従来、チューブ容器は、チューブ本体と、口頸部と、キャップからなり、キャップを取り外した後に、その押出口より内容物を押出し使用する構造となっている。容器内の内容物が少なくなった状態になると、容器を逆さにし、内容物を口頸部側に移動し、この移動した内容物を押出口より取り出すことが通常行われている。しかし、このような構造では、チューブ本体の内容物は取り出せても、口頸部に残留した内容物を取り出すことは困難である。
【０００３】
よく家庭で行われる手段として、チューブ本体の口頸部付近を切断することが行われる。このような切断手段は、内容物をほぼ確実に取り出して最後まで使い切ることができるものの、いちいちチューブを切断することは厄介であり、切断したチューブは美感上好ましくない。
【０００４】
チューブ容器は、種々提案されている。特許文献１に係るチューブ状の容器は、チューブの先端口部に、先端に切目を設けた袋体を装着したものが提案されている。特許文献２に係る発明にあっても、スリットが切り込まれた弾性材料で構成される弁の外周に対して放射方向に加圧／解除する操作によってスリットの開閉が行なわれる構成の弁が備えられた容器が提案されている。
【０００５】
また、特許文献３に係るチューブ容器は、キャップ、筒状胴部、肩部を有し、キャップと螺着する取出し口部の外周がネジ部で構成されている押し出しチューブ容器にあって、該ネジ部及び肩部に凹状の溝を設けることにより、内容物の使い切りに際し、取出し口部及び肩部の変形を容易にし、これにより取出し口部及び肩部の残存する内容物が容易に取出せるようにした。特許文献４に係る可撓性容器は、口頸部の先端の吐出口から可撓変形可能な容器本体で構成した合成樹脂製の容器であって、この容器本体の口頸部の近傍位置に、容器本体の周方向において、切断誘導線を繞設し、口頸部や口頸部の近傍の部分に残された内容物を容易に取り出して、収容された内容物を無駄なく使用できる。特許文献５に係る可撓性容器は、容器本体の口頸部の近傍に、この押し出し方向に向かって延設するとともに、その周辺方向において対峙した構造の対の陥没誘導線を設け、また、口頸部の押し出し方向に向かって延設するとともに、その周辺方向において対峙した構造の対の間欠連設部と、この対の間欠連設部間に設けた対の間欠折曲げ部でなり、膜部材が融着された口頸部を押潰し変形させ易くして、口頸部や口頸部の近傍の部分に残された内容物を容易に吐出させることができる。
【先行技術文献】
【特許文献】
【０００６】
【特許文献１】実開平３−４０９６２号公報
【特許文献２】特開昭６３−２４８６６２号公報
【特許文献３】特開２００７−８４１３６号公報
【特許文献４】特開２００７−６２７８３号公報
【特許文献５】特開２００８−２１３８８３号公報
【発明の概要】
【発明が解決しようとする課題】
【０００７】
しかしながら、特許文献１に係る容器にあっては、袋体がチューブ容器のキャップの役割を兼ねることになるので、不慮の外力がチューブ容器に負荷された場合には切目から内容物が吐出してしまう等の問題点がある。特許文献２に係る容器にあっては、構成が非常に複雑であり、製造コストが嵩んでしまう等の欠点を有している。さらに、特許文献３に係るチューブ容器は、取出し口部に加工した構造であり、取出し口部を押し潰すことで、残留流動物を取出すことの特徴を有するものの、残留流動物を最後まで取出すことは困難である。特許文献４に係る可撓性容器も、容器本体に切断誘導線を設けた構造であり、容器本体を、押し潰することで、全ての流動物を取出すとしているものの、残留流動物を最後まで取出すことは困難である。特許文献５に係る可撓性容器は、容器本体の口頸部の近傍に対の陥没誘導線と、対の間欠連設部、並びに対の間欠折曲げ部を設けた構造であり、口頸部を押し潰すことで、残留流動物を取出すことの特徴を有するものの、残留流動物を最後まで取出すことは困難である。
【０００８】
以上のような問題点に鑑みて、本発明の目的は、ハミガキ粉や化粧品等の内容物を容易に吐出し、最後まで該内容物を使い切ることができるチューブ容器を提供することである。
【課題を解決するための手段】
【０００９】
本発明に係るチューブ容器の口頸体は、チューブ本体の開口縁外周に嵌合させて内容物を吐出するチューブ容器の口頸体であって、チューブ本体の開口縁外周に嵌合する嵌合壁と、チューブ本体から流入する内容物を受けて貯留する内底面を備える内容物貯留部と、内容物を吐出する吐出口と、を備え、内容物貯留部の内底面の中央に溝部を設け、該溝部は、内容物の吐出方向に対して幅を漸次縮小したものであり、溝部の溝底には、吐出口の先端に向けて溝部の長さ方向に切れ目を入れ、溝底が切れ目よりも長さと幅の広くなるようにして、溝部と切れ目とが内容物貯留部から吐出部に至る流路となることを特徴とする。なお、上述した溝部は、内容物の吐出方向に対して幅を漸次縮小したＶ字溝としてもよい。
【００１０】
また、溝部は対向する傾斜面により形成し、対向する傾斜面を密接すると、流路は内容物の吐出方向に対して幅を漸次拡大した逆Ｖ字に開くことを特徴とする。さらに、流路は溝部から吐出口方向に湾曲して形成されるようにしてもよい。
【００１１】
本発明に係るチューブ容器の口頸体は、一体的に成型してもよいし、複数の部材を接着して成型してもよい。さらに、チューブ本体と口頸体は、可撓性合成樹脂材料で構成されると好適である。
【００１２】
本発明に係るチューブ容器は、上述の口頸体を備えることを特徴とする。また、上述の口頸体と、チューブ本体とからなり、チューブ本体の開口縁が切れ目の開設方向と交差する方向に押圧力されチューブ本体の下部を潰し開口縁が扁平になることにより、内容物が吐出されるように構成されると好適である。さらに、チューブ本体は他端が扁平に閉塞され、閉塞された両端から開口縁方向に縁を扁平に潰したシール部を備え、さらに口頸体にもチューブ本体のシール部のシール方向に縁を扁平に潰したシール部を備えるようにしてもよい。このような構成により、最後に残った内容物を出し切ることができる。
【００１３】
またさらに、本発明に係る台座は、前述した口頸体を支持してチューブ容器を起立させるものであることを特徴とする。
【発明の効果】
【００１４】
本発明によれば、該チューブ容器は、チューブの押し出し操作時には、容器の押圧により加圧された内容物によって切れ目が押し広げられるように開口し、内容物の吐出が行なわれる。また、溝部から切れ目に至る流路が閉鎖状態では外部から空気等の流入を防止し、内容物の吐出が終了した時には切れ目が自己閉鎖し内容物の切れも良く液だれを生じることもない。そして、最終的には、内容物すべてを吐出することができるので、使い切れたという爽快感を使用者に与え、チューブを切断する必要がないため、美観も損なうことはない。なお、口頸体を支持する台座を配設することによって外部に内容物が吐出することも未然に防止することができるとともに、設置場所を整理整頓できる。さらに、本発明の構造はシンプルであり、製造コストを低減する効果がある。
【図面の簡単な説明】
【００１５】
【図１】本発明の実施例１に係るチューブ容器１の全体構成を示す斜視図である。
【図２】実施例１に係るチューブ容器１の正面図（ａ）、側面図（ｂ）である。
【図３】実施例１に係るチューブ容器１の口頸体１０の構造を示す断面図である。
【図４】実施例１に係るチューブ容器１の口頸体１０の切れ目を示す底面図である。
【図５】実施例１に係るチューブ容器１の口頸体１０の流路の開閉を示す図である。
【図６】実施例１に係るチューブ容器１において、最後に残った内容物を吐出する場面を示す図である。
【図７】実施例２に係るチューブ容器２の正面図（ａ）、側面図（ｂ）である。
【図８】実施例２に係るチューブ容器２において、最後に残った内容物を吐出する場面を示す図である。
【図９】実施例２に係るチューブ容器２において、最後に残った内容物を吐出する場面のチューブ本体６０の圧潰状態を示す図である。
【図１０】実施例１に係るチューブ容器１を台座３０に戴置した状態を示す図である。
【図１１】実施例１に係るチューブ容器１を台座３０に戴置する様子を示す図である。
【図１２】本発明の実施例３に係る台座３０の構造を示す図である。
【図１３】本発明の実施例３に係る台座３０の変形形態を示す図である。
【図１４】本発明の実施例４に係るチューブ容器４の全体構成を示す斜視図である。
【図１５】本発明の実施例４に係るチューブ容器４の口頸体７０の正面図（ａ）、右側面図（ｂ）、平面図（ｃ）、底面図（ｄ）である。
【図１６】実施例４に係るチューブ容器４の口頸体７０の構造を示すＡ−Ａ線断面図（ａ）とＢ−Ｂ線断面図（ｂ）である。
【図１７】実施例４に係るチューブ容器４において、最後に残った内容物を吐出する場面を示す図である。
【発明を実施するための形態】
【００１６】
以下、本発明の実施例を図面に基づき詳細に説明する。各図において、同一部分には同一番号を付し、重複する説明は省略する。また、図面は、本発明を理解するために誇張して表現している場合もあり、必ずしも縮尺どおり精緻に表したものではないことに留意されたい。なお、本発明は下記に示される実施例に限られるものではない。
【実施例１】
【００１７】
実施例１を図面を参照して詳細に説明する。
図１は、本発明の実施例１に係るチューブ容器１の全体構成を示す斜視図である。図２は、実施例１に係るチューブ容器１の正面図（ａ）、側面図（ｂ）である。チューブ容器１には、ハミガキ粉、化粧品等の内容物Ｘが充填される。
【００１８】
図１に示すとおり、チューブ容器１は、口頸体１０と、チューブ本体２０とからなる。チューブ本体２０は、筒状体の一端（図１においては上方）が閉鎖され、内容物Ｘ（図示していない）を吐出する側である他端（図１においては下方）が開口され、この開口縁に口頸体１０の当接面１１２、１２２（図示していない）が固定される。なお、チューブ本体２０は、可撓性を有する素材で成形されるとよい。例えば、材料として低密度ポリエチレンを用いることができるがこれに限定されない。
【００１９】
図３を参照する。図３は、実施例１に係るチューブ容器１の口頸体１０の構造を示す断面図である。口頸体１０は、二片の閉塞部材１１、１２とからなり、チューブ本体２０の下端の開口縁２１、２２に当接して内容物を吐出する吐出口を形成する。この閉塞部材１１、１２が、互いに対向面１１０、１２０を密接した状態で、吐出口において内容物Ｘ（図示していない）を吐出する切れ目Ｓを形成する。すなわち、二片の閉塞部材１１、１２は、「ダックビル」と呼ばれるあひるのくちばし形状を形成し、互いに密接することで吐出口側先端に切れ目Ｓを形成し、外部から空気等の流入を防止する逆止弁を構成することができる。後述するとおり、チューブ本体２０を加圧すると、内容物Ｘの押圧によってこの切れ目Ｓは押し広げられて開口する。一方、切れ目Ｓの閉鎖時には閉じられた対向面１１０、１２０が内容物の逆流を防ぐ。閉塞部材１１、１２は、例えば、エラストマー、ゴム等の可撓性素材やポリウレタンにより構成されるとよい。閉塞部材１１、１２の互いに向き合い当接する対向面１１０、１２０が湾曲面であると好適である。また、閉塞部材１１、１２は、互いに密接した状態で、切れ目Ｓ方向にテーパ又は傾斜面になるようにするとよい。
【００２０】
図４を参照する。図４は、実施例１に係るチューブ容器１の口頸体１０の切れ目を示す図である。実施例１において、口頸体１０は、二片の閉塞部材１１、１２から構成されることから、切れ目Ｓは、図４に示すとおり、一文字の形状となる。
【００２１】
図５を参照する。図５は、実施例１に係るチューブ容器１の口頸体１０の流路の開閉を示す図である。図３において説明したとおり、口頸体１０は、二片の閉塞部材１１、１２とからなり、チューブ本体２０の下端の開口縁に当接して内容物を吐出する吐出口を形成する。この閉塞部材１１、１２が、互いに対向面１１０、１２０を密接した状態で、吐出口において内容物Ｘ（図示していない）を吐出する切れ目Ｓを形成する。使用しない状態では、切れ目Ｓは自己閉鎖し、図５（ａ）に示す矢印方向にチューブ本体２０を加圧すると、内容物Ｘの押圧により二片の閉塞部材１１、１２が離隔して流路を形成し、切れ目Ｓが開口されることが理解できるであろう。図５（ｂ）に示すとおり、押し広げられた切れ目Ｓを介して、流路から内容物Ｘが吐出する。
【００２２】
図６を参照する。図６は、実施例１に係るチューブ容器１において、最後に残った内容物を吐出する場面を示す図である。図６（ａ）に示すとおり、チューブ本体２０の開口縁が切れ目Ｓの開設方向と交差する方向（矢印方向）に押圧力されると、図６（ｂ）に示すとおり、チューブ本体２０の下部にある筒部２１、２２が当接して開口縁が扁平になることにより、二片の閉塞部材１１、１２は離隔し、大きく開かれた吐出口から内容物Ｘが吐出されることが理解されるであろう。
【実施例２】
【００２３】
実施例２を図面を参照して詳細に説明する。
【００２４】
図７、８、９を参照する。図７は、実施例１に係る変形形態のチューブ容器２の正面図（ａ）、側面図（ｂ）である。図８は、実施例２に係るチューブ容器２において、最後に残った内容物を吐出する場面を示す図である。図９は、実施例２に係るチューブ容器２において、最後に残った内容物を吐出する場面のチューブ本体６０の圧潰状態を示す図である。
【００２５】
図７に示すとおり、この変形形態に係るチューブ容器２は、チューブ本体６０の上端が扁平に閉塞され、閉塞された両端から開口縁方向に縁を扁平に潰したシール部６３を備える。また、口頸体５０にもチューブ本体６０のシール部６３のシール方向に縁を扁平に潰したシール部５３を備えている。このような構成により、最後に残った内容物を出し切ることができる。シール部５３を備える代わりに、閉塞部材の側面に折り目を設け、内側又は外側に折り曲げることにより、筒部が当接して開口縁が扁平になるように構成してもよい。
【００２６】
実施例２においても、実施例１と同様に、口頸体５０は、二片の閉塞部材５１、５２とからなり、チューブ本体６０の下端の開口縁に当接して内容物Ｘを吐出する吐出口を形成する。なお、図８に示す通り、閉塞部材５１、５２の互いに向き合い当接する対向面５１０、５２０は湾曲面の流路となっている。図８と９を参照する。図８（ａ）及び図９（ａ）に示すとおり、チューブ本体６０の開口縁が切れ目Ｓの開設方向と交差する方向（矢印方向）に押圧力されると、図８（ｂ）に示すとおり、チューブ本体６０の下部にある筒部６１、６２が当接して開口縁が扁平になる（図９（ｂ）も参照）ことにより、二片の閉塞部材５１、５２の対向面５１０、５２０は離隔し、大きく開かれた吐出口から内容物Ｘが吐出されることが理解されるであろう。
【実施例３】
【００２７】
実施例３を図面を参照して詳細に説明する。
【００２８】
図１０〜１３を参照する。図１０は、実施例１に係るチューブ容器１を台座３０に戴置した状態を示す図である。図１１は、実施例１に係るチューブ容器１を台座３０に戴置する様子を示す図である。図１２は、本発明の実施例３に係る台座３０の構造を示す図である。図１３は、本発明の実施例３に係る台座３０の変形形態を示す図である。
【００２９】
図１０及び１１に示すとおり、本発明に係るチューブ容器１は、使用しないときは台座３０に戴置するようにしてもよい。台座３０は種々の構造を採用することができる。図１２に示すとおり、単純に、台座３０の支持面３３１、３３２で、口頸体１０の外面１３１、１３２を支持するようにしてもよい。また図１３に示すとおり、口頸体１０の外面１３１、１３２の任意の箇所に凸部１４１、１４２を設け、台座３０の支持面３３１、３３２に、凸部１４１、１４２が当接する位置に凹部３４１、３４２を備えるようにしてもよい。さらに、台座３０に案内レールを設け、口頸体１０が摺動して出し入れできるような構成にしてもよい。またさらに、上述の凸部と凹部に相当する部分に、それぞれ対極の磁石片を貼り付けた構成にしてもよい。
【実施例４】
【００３０】
実施例４を図面を参照して詳細に説明する。
【００３１】
図１４、１５、１６、１７を参照する。図１４は、本発明の実施例４に係るチューブ容器４の全体構成を示す斜視図である。図１５は、本発明の実施例４に係るチューブ容器４の口頸体７０の正面図（ａ）、右側面図（ｂ）、平面図（ｃ）、底面図（ｄ）である。図１６は、実施例４に係るチューブ容器４の口頸体７０の構造を示すＡ−Ａ線断面図（ａ）とＢ−Ｂ線断面図（ｂ）である。図１７は、実施例４に係るチューブ容器４において、最後に残った内容物を吐出する場面を示す図である。
【００３２】
図１４に示すとおり、チューブ容器４は、口頸体７０と、チューブ本体４０とからなる。チューブ本体４０は、筒状体の一端（図１においては上方）が閉鎖され、内容物Ｘ（図示していない）を吐出する側である他端（図１４においては下方）が開口され、この開口外周縁に口頸体７０の当接面７１１（図示していない）が接着される。なお、チューブ本体４０は、可撓性を有する素材で成形されるとよい。例えば、材料として低密度ポリエチレンを用いることができるがこれに限定されない。
【００３３】
図１５は、本発明の実施例４に係るチューブ容器４の口頸体７０の正面図（ａ）、右側面図（ｂ）、平面図（ｃ）、底面図（ｄ）である。図１５に示すとおり、概して、口頸体７０は、チューブ本体４０の開口縁外周に嵌合させる嵌合壁７１０と、チューブ本体４０から流入する内容物を受けて貯留する内底面を備える内容物貯留部７２０と、底面７４０に内容物を吐出する吐出口７００とを備える。嵌合壁７１０は、チューブ本体４０の開口縁外周に嵌合させる当接面７１１と外面７１２とからなる。内容物貯留部７２０は、内底面７２１と、嵌合壁７１０の外面７１２から底面７４０方向に延設される外周面７２２からなる。内底面７２１の中央には溝部７３０が設けられている。吐出口７００の先端には、溝部７３０の長さ方向に切れ目Ｓが設けられている。切れ目Ｓは、図１５（ｃ）、（ｄ）に示すとおり、一文字の形状となる。
【００３４】
図１６を参照する。図１６（ａ）及び（ｂ）は、それぞれ図１５（ａ）に示すＡ−Ａ線の断面図（ａ）と、図１５（ｂ）に示すＢ−Ｂ線の断面図（ｂ）である。前述したとおり、口頸体７０は、チューブ本体４０の開口縁外周に嵌合させる嵌合壁７１０と、チューブ本体４０から流入する内容物を受けて貯留する内底面を備える内容物貯留部７２０と、底面７４０に内容物を吐出する吐出口７００とを備える。嵌合壁７１０は、チューブ本体４０の開口縁外周に嵌合させる当接面７１１と外面７１２とからなる。内容物貯留部７２０は、内底面７２１と、嵌合壁７１０の外面７１２から底面７４０方向に延設される外周面７２２からなる。内底面７２１の中央には溝部７３０が設けられている。溝部７３０は、内容物の吐出方向、すなわち吐出部７００に向かって溝幅を漸次縮小して穿たれていることが理解できるであろう。また、吐出口７００の先端には、溝部７３０の長さ方向に切れ目Ｓが設けられ、溝部７３０は内容物貯留部７２０の内底面７２１から吐出部７００に至る流路となっている。
【００３５】
口頸体７０は、例えば、エラストマー、ゴム等の可撓性素材やポリウレタンにより構成され、一体成型してもよいし、複数の部材から構成してもよい。
なお、発明者は、３Ｄプリンタにて、材料にアクリル系紫外線硬化樹脂を用いて、口頸体の試作品を製作したが、材料特性に沿って適宜成型することができる。
【００３６】
図１７を参照する。図１７は、実施例４に係るチューブ容器４の口頸体において、最後に残った内容物を吐出する場面を示す図である。指で図１７（ａ）に示す矢印方向に加圧すると、すなわち、口蓋体７０の溝部７３０付近を押圧すると、溝部７３０の対向する対向面７３１と７３２が密着する。そうすると、図１７（ｂ）に示すとおり、吐出口７００に近接する面が離隔して流路を形成し、切れ目Ｓを押し広げる。この押し広げられた切れ目Ｓを介して、流路から内容物Ｘが吐出するということになる。
【００３７】
以上、本発明に係るチューブ容器における好ましい実施形態を図示して説明してきたが、本発明の技術的範囲を逸脱することなく種々の変更が可能であることは理解されるであろう。
【産業上の利用可能性】
【００３８】
本発明に係るチューブ容器の口頸体及びこれを備えるチュ−ブ容器は、構造が簡易であるので、歯磨き粉や化粧品のほか、食品の分野等にも広く利用することができる。
【符号の説明】
【００３９】
１  ２  ４  チューブ容器
１０  ５０  ７０  口頸体
１１  １２  閉塞部材
５１  ５２  閉塞部材
１１０  １２０  対向面
１１１  １２１  内容物貯留部
１１２  １２２  当接面
１３１  １３２  外面
１４１  １４２  凸部
２０  ４０  ６０  チューブ本体
２１  ２２  筒部
６１  ６２  筒部
３０  台座
５３  シール部
６３  シール部
３３１  ３３２  支持面
３４１  ３４２  凹部
７００  吐出口
７１０  嵌合壁
７１１  当接面
７１２  外面
７２０  内容物貯留部
７２１  内底面
７２２  外周面
７３０  溝部
７３１  ７３２  対向面
７４０  底面
Ｓ  切れ目
Ｘ  内容物
【図１】
2019006499.tif 000003
【図２】
2019006499.tif 000004
【図３】
2019006499.tif 000005
【図４】
2019006499.tif 000006
【図５】
2019006499.tif 000007
【図６】
2019006499.tif 000008
【図７】
2019006499.tif 000009
【図８】
2019006499.tif 000010
【図９】
2019006499.tif 000011
【図１０】
2019006499.tif 000012
【図１１】
2019006499.tif 000013
【図１２】
2019006499.tif 000014
【図１３】
2019006499.tif 000015
【図１４】
2019006499.tif 000016
【図１５】
2019006499.tif 000017
【図１６】
2019006499.tif 000018
【図１７】
2019006499.tif 000019
【手続補正書】
【提出日】平成30年9月16日(2018.9.16)
【手続補正１】
【補正対象書類名】特許請求の範囲
【補正対象項目名】全文
【補正方法】変更
【補正の内容】
【特許請求の範囲】
【請求項１】
筒状体の一端が扁平に閉塞され、前記内容物を吐出する側である他端が開口したチューブ本体と、該チューブ本体の開口縁外周に嵌合させて内容物を吐出するチューブ容器の口頸体とからなるチューブ容器であって、
前記口頸体は、前記チューブ本体の前記開口縁外周に嵌合する嵌合壁と、前記チューブ本体から流入する前記内容物を受けて貯留する内底面を備える内容物貯留部と、前記内容物を吐出する吐出口と、を備え、
前記内容物貯留部の前記内底面の中央に溝部を設け、該溝部は、前記内容物の吐出方向に対して幅を漸次縮小したものであり、
前記溝部の溝底には、前記吐出口の先端に向けて前記溝部の長さ方向に切れ目を入れ、前記溝底が前記切れ目よりも長さと幅の広くなるようにして、前記溝部と前記切れ目とが前記内容物貯留部から前記吐出部に至る流路となり、
前記チューブ本体の開口縁が前記切れ目の開設方向と交差する方向に押圧され前記チューブ本体の下部を潰すと前記開口縁が扁平になることを特徴とするチューブ容器。
【請求項２】
前記溝部は、前記内容物の吐出方向に対して幅を漸次縮小したＶ字溝であることを特徴とする請求項１に記載のチューブ容器。
【請求項３】
前記溝部は対向する傾斜面により形成し、前記対向する傾斜面を密接すると、前記切れ目は前記内容物の吐出方向に対して幅を漸次拡大した逆Ｖ字に開くことを特徴とする請求項１又は２に記載のチューブ容器。
【請求項４】
前記切れ目が前記溝部から前記吐出口方向に湾曲して形成されていることを特徴とする請求項１ないし３のいずれかに記載のチューブ容器。
【請求項５】
前記口頸体は、一体的に成型されたことを特徴とする請求項１ないし４のいずれかに記載のチューブ容器。
【請求項６】
前記口頸体は、二片の閉塞部材からなる請求項１ないし４のいずれかに記載のチューブ容器。
【請求項７】
前記チューブ本体の閉塞された一端の両角から前記開口縁方向に縁を扁平に潰したシール部を備え、さらに前記口頸体にも前記チューブ本体の前記シール部のシール方向に縁を扁平に潰したシール部を備えることを特徴とする請求項１ないし６のいずれかに記載のチューブ容器。
【請求項８】
前記口頸体を支持して請求項１ないし７のいずれかに記載の前記チューブ容器を自立させる台座。
【請求項９】
筒状体の一端が扁平に閉塞され、前記内容物を吐出する側である他端が開口したチューブ本体と、該チューブ本体の開口縁外周に嵌合させて内容物を吐出するチューブ容器の口頸体とからなるチューブ容器であって、
前記口頸体は、前記チューブ本体の前記開口縁外周に嵌合する嵌合壁と、前記チューブ本体から流入する前記内容物を受けて貯留する内底面を備える内容物貯留部と、前記内容物を吐出する吐出口と、を備え、
前記内容物貯留部の前記内底面の中央に溝部を設け、該溝部は、前記内容物の吐出方向に対して幅を漸次縮小したものであり、
前記溝部の溝底には、前記吐出口の先端に向けて前記溝部の長さ方向に切れ目を入れ、前記溝底が前記切れ目よりも長さと幅の広くなるようにして、前記溝部と前記切れ目とが前記内容物貯留部から前記吐出部に至る流路となり、
前記チューブ本体の開口縁が前記切れ目の開設方向と交差する方向に押圧され前記チューブ本体の下部を潰すと前記開口縁が扁平にすることにより、前記内容物を吐出する方法。